(57)【要約】【課題】  トレイパネルをディスク挿入口内の所定位置に自動的に位置決めすること。【解決手段】  トレイパネル５がトレイ４の前板部４ａに一定範囲内移動可能に取り付けられ、そのトレイパネル５のトレイ４よりも側方に突出する両端部の裏面に左右一対の略円錐形位置決めピン９が突設されると共に、該各位置決めピン９に対向してディスク挿入口２内の両端奥壁部２ａに左右一対の円形位置決め孔１０が形成され、前記各位置決め孔１０に各位置決めピン９を嵌入させたときに該各位置決め孔１０の内周縁に各位置決めピン９の外周面を接触または接近させるようにその各位置決め孔１０の口径Ｈが設定されており、ローディング信号に基づいてトレイ４を筐体１内に退入させることにより、各位置決めピン９を各位置決め孔１０内に嵌入させて、トレイパネル５をディスク挿入口２内の所定位置に収納する。【選択図】        図２
2005116000.tif 000002
【特許請求の範囲】
【請求項１】
筐体のフロントパネルに形成したディスク挿入口を通って出退可能な
ディスク載置用トレイの前板部にトレイパネルが取り付けられており、ローディング信号
に基づいてトレイを筐体内に退入させることによりトレイパネルをディスク挿入口内に収
納するようにしたディスクプレーヤにおいて、前記トレイパネルの裏面に突設した上側フ
ック部及び両横側フック部を前記前板部の上縁部と両側縁部とにそれぞれ引っ掛けること
により、該トレイパネルが前板部に一定範囲内移動可能に取り付けられ、前記前板部に部
分的にスリットを形成することにより切り残した弾性舌片の先端が前方に突出して前記ト
レイパネルの裏面に弾性的に接触させられ、前記トレイパネルのトレイよりも側方に突出
する両端部の裏面に左右一対の略円錐形位置決めピンが突設されると共に、該各位置決め
ピンに対向してディスク挿入口内の両端奥壁部に左右一対の円形位置決め孔が形成され、
前記各位置決め孔に各位置決めピンを嵌入させたときに該各位置決め孔の内周縁に各位置
決めピンの外周面を接触または接近させるようにその各位置決め孔の口径が設定されてお
り、ローディング信号に基づいてトレイを筐体内に退入させることにより、各位置決めピ
ンを各位置決め孔内に嵌入させて、トレイパネルをディスク挿入口内の所定位置に収納す
ることを特徴とするディスクプレーヤ。
【請求項２】
筐体のフロントパネルに形成したディスク挿入口を通って出退可能な
ディスク載置用トレイの前板部にトレイパネルが取り付けられており、ローディング信号
に基づいてトレイを筐体内に退入させることによりトレイパネルをディスク挿入口内に収
納するようにしたディスクプレーヤにおいて、前記トレイパネルの裏面に突設した上側フ
ック部及び両横側フック部を前記前板部の上縁部と両側縁部とにそれぞれ引っ掛けること
により、該トレイパネルが前板部に一定範囲内移動可能に取り付けられ、前記前板部に部
分的にスリットを形成することにより切り残した弾性舌片の先端が前方に突出して前記ト
レイパネルの裏面に弾性的に接触させられ、前記トレイパネルのトレイよりも側方に突出
する両端部の裏面に左右一対の略円錐形位置決めピンが突設されると共に、該各位置決め
ピンの外周面に周方向所定間隔をおいて複数の凹溝を形成することによりその各凹溝間に
上下左右の４つの円弧面が切り残され、前記各位置決めピンに対向してディスク挿入口内
の両端奥壁部に左右一対の円形位置決め孔が形成され、前記各位置決め孔に各位置決めピ
ンを嵌入させたときに該各位置決め孔の内周縁に各位置決めピンの４つの円弧面を接触ま
たは接近させるようにその各位置決め孔の口径が設定されており、ローディング信号に基
づいてトレイを筐体内に退入させることにより、各位置決めピンを各位置決め孔内に嵌入
させて、トレイパネルをディスク挿入口内の所定位置に収納することを特徴とするディス
クプレーヤ。
【請求項３】
筐体のフロントパネルに形成したディスク挿入口を通って出退可能な
ディスク載置用トレイの前板部にトレイパネルが取り付けられており、ローディング信号
に基づいてトレイを筐体内に退入させることによりトレイパネルをディスク挿入口内に収
納するようにしたディスクプレーヤにおいて、前記トレイパネルの裏面に突設した上側フ
ック部及び両横側フック部を前記前板部の上縁部と両側縁部とにそれぞれ引っ掛けること
により、該トレイパネルが前板部に一定範囲内移動可能に取り付けられ、前記前板部に部
分的にスリットを形成することにより切り残した弾性舌片の先端が前方に突出して前記ト
レイパネルの裏面に弾性的に接触させられ、前記トレイパネルのトレイよりも側方に突出
する両端部の裏面に左右一対の略円錐形位置決めピンが突設され、該各位置決めピンに対
向してディスク挿入口内の両端奥壁部に左右一対の円形位置決め孔が形成されると共に、
該各位置決め孔の内周面に周方向所定間隔をおいて複数の凹部を形成することによりその
各凹部間に上下左右の４つの円弧面が切り残され、前記各位置決め孔に各位置決めピンを
嵌入させたときに該各位置決め孔の４つの円弧面に各位置決めピンの外周面を接触または
接近させるようにその各位置決め孔の口径が設定されており、ローディング信号に基づい
てトレイを筐体内に退入させることにより、各位置決めピンを各位置決め孔内に嵌入させ
て、トレイパネルをディスク挿入口内の所定位置に収納することを特徴とするディスクプ
レーヤ。
【請求項４】
筐体のフロントパネルに形成したディスク挿入口を通って出退可能な
ディスク載置用トレイの前板部にトレイパネルが取り付けられており、ローディング信号
に基づいてトレイを筐体内に退入させることによりトレイパネルをディスク挿入口内に収
納するようにしたディスクプレーヤにおいて、前記トレイパネルがトレイの前板部に一定
範囲内移動可能に取り付けられ、そのトレイパネルのトレイよりも側方に突出する両端部
の裏面に左右一対の略円錐形位置決めピンが突設されると共に、該各位置決めピンに対向
してディスク挿入口内の両端奥壁部に左右一対の円形位置決め孔が形成され、前記各位置
決め孔に各位置決めピンを嵌入させたときに該各位置決め孔の内周縁に各位置決めピンの
外周面を接触または接近させるようにその各位置決め孔の口径が設定されており、ローデ
ィング信号に基づいてトレイを筐体内に退入させることにより、各位置決めピンを各位置
決め孔内に嵌入させて、トレイパネルをディスク挿入口内の所定位置に収納することを特
徴とするディスクプレーヤ。
【請求項５】
前記前板部に部分的にスリットを形成することにより切り残した弾性
舌片の先端が前方に突出して前記トレイパネルの裏面に弾性的に接触させられていること
を特徴とする請求項４に記載のディスクプレーヤ。
【請求項６】
前記各位置決めピンの外周面に周方向所定間隔をおいて複数の凹溝を
形成することによりその各凹溝間に上下左右の４つの円弧面が切り残されていることを特
徴とする請求項４または５に記載のディスクプレーヤ。
【請求項７】
前記各位置決め孔の内周面に周方向所定間隔をおいて複数の凹部を形
成することによりその各凹部間に上下左右の４つの円弧面が切り残されていることを特徴
とする請求項４または５に記載のディスクプレーヤ。
【発明の詳細な説明】
【技術分野】
【０００１】
本発明は、例えばＤＶＤやＣＤなどのディスクプレーヤに関し、特に、トレイパネルを
ディスク挿入口内の所定位置に自動的に位置決めできるようにしたものである。
【背景技術】
【０００２】
従来、ディスクプレーヤの技術として特許文献１などに記載したものがあり、その一例
を図１０から図１２に基づいて説明すると、これは、ＤＶＤ一体型ビデオデッキなどの磁
気テープ装置一体型ディスクプレーヤであって、ディスクプレーヤと磁気テープ装置とを
内蔵した筐体１のフロントパネル１Ａにディスク挿入口２とカセット挿入口３とが形成さ
れ、ディスク挿入口２を通って出退可能なディスクＤ載置用トレイ４の前板部４ａにトレ
イパネル５が取り付けられており、トレイパネル５をアンローディング信号に基づいて突
出させた状態（図１０仮想線参照）からローディング信号に基づいてトレイ４を筐体１内
に退入させることにより、トレイパネル５をディスク挿入口２内に収納する（図１０実線
参照）。
【特許文献１】実開平５−７３７３９号公報
【発明の開示】
【発明が解決しようとする課題】
【０００３】
上記従来の構成では、製造誤差や組立誤差によりトレイパネル５がディスク挿入口２内
に所定通りに収納されず、そのトレイパネル５とディスク挿入口２の周縁部との間の上下
左右の隙間α１〜α４が不均等になることがあり、これでは外観上の体裁が悪くて商品価
値が低下する。
【０００４】
そこで、組立工程の最終段階で、上下左右の隙間α１〜α４がほぼ均等になるように作
業員が手作業でトレイパネル５の位置を調整しているが、これでは、その位置調整に手間
と時間とがかかって面倒である。
【０００５】
本発明は、上記従来の欠点に鑑み、トレイパネルをディスク挿入口内の所定位置に自動
的に位置決めできるようにしたディスクプレーヤを提供することを目的としている。
【課題を解決するための手段】
【０００６】
上記目的を達成するため、請求項１に記載の発明は、筐体のフロントパネルに形成した
ディスク挿入口を通って出退可能なディスク載置用トレイの前板部にトレイパネルが取り
付けられており、ローディング信号に基づいてトレイを筐体内に退入させることによりト
レイパネルをディスク挿入口内に収納するようにしたディスクプレーヤにおいて、前記ト
レイパネルの裏面に突設した上側フック部及び両横側フック部を前記前板部の上縁部と両
側縁部とにそれぞれ引っ掛けることにより、該トレイパネルが前板部に一定範囲内移動可
能に取り付けられ、前記前板部に部分的にスリットを形成することにより切り残した弾性
舌片の先端が前方に突出して前記トレイパネルの裏面に弾性的に接触させられ、前記トレ
イパネルのトレイよりも側方に突出する両端部の裏面に左右一対の略円錐形位置決めピン
が突設されると共に、該各位置決めピンに対向してディスク挿入口内の両端奥壁部に左右
一対の円形位置決め孔が形成され、前記各位置決め孔に各位置決めピンを嵌入させたとき
に該各位置決め孔の内周縁に各位置決めピンの外周面を接触または接近させるようにその
各位置決め孔の口径が設定されており、ローディング信号に基づいてトレイを筐体内に退
入させることにより、各位置決めピンを各位置決め孔内に嵌入させて、トレイパネルをデ
ィスク挿入口内の所定位置に収納することを特徴としている。
【０００７】
請求項２に記載の発明は、筐体のフロントパネルに形成したディスク挿入口を通って出
退可能なディスク載置用トレイの前板部にトレイパネルが取り付けられており、ローディ
ング信号に基づいてトレイを筐体内に退入させることによりトレイパネルをディスク挿入
口内に収納するようにしたディスクプレーヤにおいて、前記トレイパネルの裏面に突設し
た上側フック部及び両横側フック部を前記前板部の上縁部と両側縁部とにそれぞれ引っ掛
けることにより、該トレイパネルが前板部に一定範囲内移動可能に取り付けられ、前記前
板部に部分的にスリットを形成することにより切り残した弾性舌片の先端が前方に突出し
て前記トレイパネルの裏面に弾性的に接触させられ、前記トレイパネルのトレイよりも側
方に突出する両端部の裏面に左右一対の略円錐形位置決めピンが突設されると共に、該各
位置決めピンの外周面に周方向所定間隔をおいて複数の凹溝を形成することによりその各
凹溝間に上下左右の４つの円弧面が切り残され、前記各位置決めピンに対向してディスク
挿入口内の両端奥壁部に左右一対の円形位置決め孔が形成され、前記各位置決め孔に各位
置決めピンを嵌入させたときに該各位置決め孔の内周縁に各位置決めピンの４つの円弧面
を接触または接近させるようにその各位置決め孔の口径が設定されており、ローディング
信号に基づいてトレイを筐体内に退入させることにより、各位置決めピンを各位置決め孔
内に嵌入させて、トレイパネルをディスク挿入口内の所定位置に収納することを特徴とし
ている。
【０００８】
請求項３に記載の発明は、筐体のフロントパネルに形成したディスク挿入口を通って出
退可能なディスク載置用トレイの前板部にトレイパネルが取り付けられており、ローディ
ング信号に基づいてトレイを筐体内に退入させることによりトレイパネルをディスク挿入
口内に収納するようにしたディスクプレーヤにおいて、前記トレイパネルの裏面に突設し
た上側フック部及び両横側フック部を前記前板部の上縁部と両側縁部とにそれぞれ引っ掛
けることにより、該トレイパネルが前板部に一定範囲内移動可能に取り付けられ、前記前
板部に部分的にスリットを形成することにより切り残した弾性舌片の先端が前方に突出し
て前記トレイパネルの裏面に弾性的に接触させられ、前記トレイパネルのトレイよりも側
方に突出する両端部の裏面に左右一対の略円錐形位置決めピンが突設され、該各位置決め
ピンに対向してディスク挿入口内の両端奥壁部に左右一対の円形位置決め孔が形成される
と共に、該各位置決め孔の内周面に周方向所定間隔をおいて複数の凹部を形成することに
よりその各凹部間に上下左右の４つの円弧面が切り残され、前記各位置決め孔に各位置決
めピンを嵌入させたときに該各位置決め孔の４つの円弧面に各位置決めピンの外周面を接
触または接近させるようにその各位置決め孔の口径が設定されており、ローディング信号
に基づいてトレイを筐体内に退入させることにより、各位置決めピンを各位置決め孔内に
嵌入させて、トレイパネルをディスク挿入口内の所定位置に収納することを特徴としてい
る。
【０００９】
請求項４に記載の発明は、筐体のフロントパネルに形成したディスク挿入口を通って出
退可能なディスク載置用トレイの前板部にトレイパネルが取り付けられており、ローディ
ング信号に基づいてトレイを筐体内に退入させることによりトレイパネルをディスク挿入
口内に収納するようにしたディスクプレーヤにおいて、前記トレイパネルがトレイの前板
部に一定範囲内移動可能に取り付けられ、そのトレイパネルのトレイよりも側方に突出す
る両端部の裏面に左右一対の略円錐形位置決めピンが突設されると共に、該各位置決めピ
ンに対向してディスク挿入口内の両端奥壁部に左右一対の円形位置決め孔が形成され、前
記各位置決め孔に各位置決めピンを嵌入させたときに該各位置決め孔の内周縁に各位置決
めピンの外周面を接触または接近させるようにその各位置決め孔の口径が設定されており
、ローディング信号に基づいてトレイを筐体内に退入させることにより、各位置決めピン
を各位置決め孔内に嵌入させて、トレイパネルをディスク挿入口内の所定位置に収納する
ことを特徴としている。
【００１０】
請求項５に記載の発明は、請求項４に記載の発明において、前記前板部に部分的にスリ
ットを形成することにより切り残した弾性舌片の先端が前方に突出して前記トレイパネル
の裏面に弾性的に接触させられていることを特徴としている。
【００１１】
請求項６に記載の発明は、請求項４または５に記載の発明において、前記各位置決めピ
ンの外周面に周方向所定間隔をおいて複数の凹溝を形成することによりその各凹溝間に上
下左右の４つの円弧面が切り残されていることを特徴としている。
【００１２】
請求項７に記載の発明は、請求項４または５に記載の発明において、前記各位置決め孔
の内周面に周方向所定間隔をおいて複数の凹部を形成することによりその各凹部間に上下
左右の４つの円弧面が切り残されていることを特徴としている。
【発明の効果】
【００１３】
請求項１に記載の発明は第１、第２の実施の形態（図１から図７参照）に対応するもの
であって、これによれば、トレイパネルが製造誤差や組立誤差により当初はディスク挿入
口内に所定通りに収納されない場合でも、ローディング信号に基づいてトレイを筐体内に
退入させるだけで、トレイパネルの両端に突設した各位置決めピンがディスク挿入口側の
各位置決め孔内に嵌入され、該各位置決めピンの外周面を各位置決め孔の内周縁に接触さ
せてトレイパネルを動かすことにより、該トレイパネルの位置が所定通りに修正されるの
で、そのトレイパネルとディスク挿入口の周縁部との間の上下左右の隙間が自動的にほぼ
均等に調整され、これによって、外観上の体裁を良好に保って商品価値を高く維持するこ
とができる。
【００１４】
また、弾性舌片の先端をトレイパネルの裏面に弾性的に接触させて、該トレイパネルを
トレイの前板部に弾性的に係止しているので、トレイを出退動作させた時の振動でトレイ
パネルが不測に動いて不快な騒音を生じさせるおそれがない。
【００１５】
請求項２に記載の発明は第３の実施の形態（図８参照）に対応するものであって、これ
によれば、請求項１に記載の発明とほぼ同様の効果を得ることができ、特に、各位置決め
ピンの外周面に複数の凹溝を形成することにより上下左右の４つの円弧面が切り残されて
おり、その４つの円弧面を介して各位置決めピンを各位置決め孔に部分的に接触させてい
るだけであるから、各位置決め孔の内周縁に各位置決めピンの外周面が引っ掛かって抜け
なくなるおそれがなく、その各位置決めピンの嵌脱操作を円滑に行うことができる。
【００１６】
請求項３に記載の発明は第４の実施の形態（図９参照）に対応するものであって、これ
によれば、請求項１に記載の発明とほぼ同様の効果を得ることができ、特に、各位置決め
孔の内周面に複数の凹部を形成することにより上下左右の円弧面が切り残されており、そ
の４つの円弧面を介して各位置決めピンを各位置決め孔に部分的に接触させているだけで
あるから、各位置決め孔の内周縁に各位置決めピンの外周面が引っ掛かって抜けなくなる
おそれがなく、その各位置決めピンの嵌脱操作を円滑に行うことができる。
【００１７】
請求項４に記載の発明によれば、トレイパネルが製造誤差や組立誤差により当初はディ
スク挿入口内に所定通りに収納されない場合でも、ローディング信号に基づいてトレイを
筐体内に退入させるだけで、トレイパネルの両端に突設した各位置決めピンがディスク挿
入口側の各位置決め孔内に嵌入され、該各位置決めピンの外周面を各位置決め孔の内周縁
に接触させてトレイパネルを動かすことにより、該トレイパネルの位置が所定通りに修正
されるので、そのトレイパネルとディスク挿入口の周縁部との間の上下左右の隙間が自動
的にほぼ均等に調整され、これによって、外観上の体裁を良好に保って商品価値を高く維
持することができる。
【００１８】
請求項５に記載の発明によれば、弾性舌片の先端をトレイパネルの裏面に弾性的に接触
させて、該トレイパネルをトレイの前板部に弾性的に係止しているので、トレイを出退動
作させた時の振動でトレイパネルが不測に動いて不快な騒音を生じさせるおそれがない。
【００１９】
請求項６に記載の発明によれば、各位置決めピンの外周面に複数の凹溝を形成すること
により上下左右の４つの円弧面が切り残されており、その４つの円弧面を介して各位置決
めピンを各位置決め孔に部分的に接触させているだけであるから、各位置決め孔の内周縁
に各位置決めピンの外周面が引っ掛かって抜けなくなるおそれがなく、その各位置決めピ
ンの嵌脱操作を円滑に行うことができる。
【００２０】
請求項７に記載の発明によれば、各位置決め孔の内周面に複数の凹部を形成することに
より上下左右の円弧面が切り残されており、その４つの円弧面を介して各位置決めピンを
各位置決め孔に部分的に接触させているだけであるから、各位置決め孔の内周縁に各位置
決めピンの外周面が引っ掛かって抜けなくなるおそれがなく、その各位置決めピンの嵌脱
操作を円滑に行うことができる。
【発明を実施するための最良の形態】
【００２１】
図１から図４は本発明の第１の実施の形態である磁気テープ一体型ディスクプレーヤを
示すものであって、合成樹脂製トレイパネル５の裏面に突設した１つまたは複数（この実
施の形態では２つ）の上側フック部７及び両横側フック部８を合成樹脂製トレイ４の前板
部４ａの上縁部と両側縁部とにそれぞれ引っ掛けることにより、該トレイパネル５が前板
部４ａに上下方向ａ，ｂ及び左右方向ｃ，ｄに一定範囲内移動可能に取り付けられ、その
トレイパネル５のトレイ４よりも側方に突出する両端部の裏面に左右一対の位置決めピン
９が突設されると共に、該各位置決めピン９に対向してディスク挿入口２内の両端奥壁部
２ａに左右一対の位置決め孔１０が形成されている。上記以外の構成は図１０から図１２
に示す構成とほぼ同じであるから、同一部分に同一符号を付してその説明を省略する。
【００２２】
図５に示すように、前記各位置決めピン９は外周面９ａを先すぼまりとした略円錐形に
形成されると共に、前記各位置決め孔１０は円形に形成されており、各位置決め孔１０に
各位置決めピン９を嵌入させたときに該各位置決め孔１０の内周縁１０ａに各位置決めピ
ン９の外周面９ａを接触または接近させるようにその各位置決め孔１０の口径Ｈが設定さ
れている〔図５（ａ）参照〕。
【００２３】
上記構成において、図１に仮想線で示すように、トレイ４をディスク挿入口２からアン
ローディング信号に基づいて突出させた状態からローディング信号に基づいてトレイ４を
筐体１内に退入させることにより、各位置決めピン９を各位置決め孔１０内に嵌入させる
（図１及び図２の実線参照）。このとき、図６（ａ）に示すように、トレイパネル５がデ
ィスク挿入口２に対して所定位置から例えば図示のように下方右側に位置ずれている場合
には、各位置決めピン９の外周面９ａを各位置決め孔１０の内周縁１０ａに接触させてト
レイパネル５を上方左側に押し上げて所定位置まで動かす〔図６（ｂ）参照〕。
【００２４】
上記構成によれば、トレイパネル５が製造誤差や組立誤差により当初はディスク挿入口
２内に所定通りに収納されない場合でも、ローディング信号に基づいてトレイ４を筐体１
内に退入させるだけで、トレイパネル５の両端に突設した各位置決めピン９がディスク挿
入口２側の各位置決めピン９内に嵌入され、該各位置決めピン９の外周面を各位置決め孔
１０の内周縁に接触させてトレイパネル５を動かすことにより、該トレイパネル５の位置
が所定通りに修正されるので、そのトレイパネル５とディスク挿入口２の周縁部との間の
上下左右の隙間α１〜α４が自動的にほぼ均等に調整され、これによって、外観上の体裁
を良好に保って商品価値を高く維持することができる。
【００２５】
図４に仮想線で示すように、前板部４ａに部分的にスリット１２を形成することにより
１つまたは複数（この実施の形態では２つ）の弾性舌片１３を切り残し、図７（ａ）に示
すように、各弾性舌片１３の先端を前板部４ａの前面から前方に所定間隔ｔだけ突出させ
、図７（ｂ）に示すように、各弾性舌片１３の先端を前板部４ａに取り付けたトレイパネ
ル５の裏面に弾性的に接触させることが好ましい（第２の実施の形態）。
【００２６】
上記構成によれば、弾性舌片１３の先端をトレイパネル５の裏面に弾性的に接触させて
、該トレイパネル５をトレイ４の前板部４ａに弾性的に係止しているので、トレイ４を出
退動作させた時の振動でトレイパネル５が不測に動いて不快な騒音を生じさせるおそれが
ない。
【００２７】
第１の実施の形態では、各位置決めピン９を外周面９ａが円形の略円錐形に形成したが
これに限定されるわけではなく、図８に示すように、各位置決めピン９の外周面９ａに周
方向所定間隔をおいて複数の凹溝１５を形成することによりその各凹溝１５間に上下左右
の４つの円弧面９Ａが切り残されるようにしてもよい（第３の実施の形態）。
【００２８】
上記構成によれば、４つの円弧面９Ａを介して各位置決めピン９を各位置決め孔１０に
部分的に接触させているだけであるから、各位置決め孔１０の内周縁に各位置決めピン９
の外周面９ａが引っ掛かって抜けなくなるおそれがなく、その各位置決めピン９の嵌脱操
作を円滑に行うことができる。
【００２９】
また、図９に示すように、各位置決め孔１０の内周面に周方向所定間隔をおいて複数の
凹部１６を形成することによりその各凹部１６間に上下左右の４つの円弧面１０Ａが切り
残されるようにしてもよい（第４の実施の形態）。
【００３０】
上記構成によれば、４つの円弧面１０Ａを介して各位置決めピン９を各位置決め孔１０
に部分的に接触させているだけであるから、各位置決め孔１０の内周縁１０ａに各位置決
めピン９の外周面９ａが引っ掛かって抜けなくなるおそれがなく、その各位置決めピン９
の嵌脱操作を円滑に行うことができる。
【産業上の利用可能性】
【００３１】
上記実施の形態では、磁気テープ装置一体型ディスクプレーヤを例にあげて説明したが
、これに限定されるわけではなく、単体型ディスクプレーヤにも適用することができる。
【図面の簡単な説明】
【００３２】
【図１】本発明の第１の実施の形態である磁気テープ一体型ディスクプレーヤを示す斜視図である。
【図２】同水平断面図である。
【図３】同縦断面図である。
【図４】同要部の分解斜視図である。
【図５】（ａ）は位置決めピン嵌入状態の要部の縦断面図、（ｂ）はＡ−Ａ矢視図、（ｃ）は同分解斜視図である。
【図６】（ａ）は位置決めピンの嵌入手順の前半を示す要部の横断面図、（ｂ）は同手順の後半を示す要部の横断面図である。
【図７】（ａ）は本発明の第２の実施の形態である磁気テープ一体型ディスクプレーヤの要部を示す水平断面図、（ｂ）は同トレイパネルの取り付け状態を示す水平断面図である。
【図８】（ａ）は本発明の第３の実施の形態である磁気テープ一体型ディスクプレーヤにおける位置決めピン嵌入状態の要部の縦断面図、（ｂ）はＢ−Ｂ矢視図、（ｃ）は同分解斜視図である。
【図９】（ａ）は本発明の第４の実施の形態である磁気テープ一体型ディスクプレーヤにおける位置決めピン嵌入状態の要部の縦断面図、（ｂ）はＣ−Ｃ矢視図、（ｃ）は同分解斜視図である。
【図１０】従来例を示す斜視図である。
【図１１】同水平断面図である。
【図１２】同縦断面図である。
【符号の説明】
【００３３】
１        筐体
１Ａ      フロントパネル
２        ディスク挿入口
２ａ      ディスク挿入口の両端奥壁部
４        トレイ
４ａ      トレイの前板部
５        トレイパネル
７        上側フック部
８        横側フック部
９        位置決めピン
９ａ      位置決めピンの外周面
９Ａ      位置決めピンの円弧面
１０      位置決め孔
１０ａ    位置決め孔の内周縁
１０Ａ    位置決め孔の円弧面
１２      スリット
１３      弾性舌片
１５      凹溝
１６      凹部
Ｄ        ディスク
Ｈ        位置決め孔の口径
【図１】
2005116000.tif 000003
【図２】
2005116000.tif 000004
【図３】
2005116000.tif 000005
【図４】
2005116000.tif 000006
【図５】
2005116000.tif 000007
【図６】
2005116000.tif 000008
【図７】
2005116000.tif 000009
【図８】
2005116000.tif 000010
【図９】
2005116000.tif 000011
【図１０】
2005116000.tif 000012
【図１１】
2005116000.tif 000013
【図１２】
2005116000.tif 000014